(57)【要約】【課題】供給用間隙を簡単に精度よく調整することができる調整方法を提供することである。【解決手段】供給ベルト５のシート搬送面５ｂ上に、そのシート搬送面５ｂとの間で供給用間隙１０を形成するフロントガイド１を設けて昇降自在に支持する。昇降用エアシリンダ１２の作動によりフロントガイド１を上昇させ、シート搬送面５ｂ上に次に供給しようとするシートＳ1 の厚みより少し大きいすきまゲージＧを載置する。昇降用エアシリンダ１２の作動によりフロントガイド１を下降させ、その下端がすきまゲージＧに当接する状態で昇降用エアシリンダ１２を排気して、フロントガイド１を自重ですきまゲージＧに接触させてフロントガイド１の下面全体をすきまゲージＧに接触させ、ロック手段２０によりフロントガイド１をロックしてからすきまゲージＧを取り除くようにする。【選択図】図２
2006036508.tif 000002
【特許請求の範囲】
【請求項１】
シート搬送面上において昇降自在に支持されたフロントガイドを昇降用エアシリンダにより上昇させる第１動作と、供給しようとするシートより厚みが少し大きいすきまゲージを前記シート搬送面上に載置する第２動作と、前記昇降用エアシリンダの作動によりフロントガイドを下降させる第３動作と、そのフロントガイドがすきまゲージの上面に当接する状態で昇降用エアシリンダ内のエアを排気してすきまゲージにフロントガイドを自重で接触させる第４動作と、フロントガイドがすきまゲージに接触支持される状態でフロントガイドをロックする第５動作と、フロントガイドのロック後にすきまゲージを取り出す第６動作を順に行なうようにしたシート供給装置における供給用間隙の調整方法。
【請求項２】
シート搬送面上に設けられたフロントガイドと、そのフロントガイドを昇降自在に支持するガイドと、そのガイドに沿ってフロントガイドを昇降動させる昇降用エアシリンダと、フロントガイドを高さ調整位置でロックするロック手段と、前記昇降用エアシリンダの収縮用の第１室と伸長用の第２室に圧縮エアを切換えて供給する電磁式切換弁とから成り、前記シート搬送面上に供給しようとするシートの厚みより少し大きいすきまゲージを載置し、昇降用エアシリンダの作動によりフロントガイドを下降させて下端をすきまゲージに当接し、その昇降用エアシリンダの第１室および第２室を大気に連通させたのちにロック手段によってフロントガイドをロックするシート供給装置における供給用間隙の調整装置。
【発明の詳細な説明】
【技術分野】
【０００１】
この発明は、多数積み重ねられた段ボールシート等のシートを最下位のシートから一枚ずつ順に次工程のシート加工部に送り込むシート供給装置における供給用間隙の調整方法およびその装置に関するものである。
【背景技術】
【０００２】
シート供給部に多数の段ボールシート（以下、シートという）を積み重ね、その積み重ねシートの下方に設けられたシート送り装置によって最下位のシートから一枚ずつ順に下流側に設けられたシート加工部やシート検査部（以下、シート加工部という）に送り込むようにしたシート供給装置は従来から知られている。
【０００３】
上記のようなシート供給装置においては、特許文献１に記載されているように、フロントガイドとバックガイドとの間に積み重ねシートの収容部を形成し、前記フロントガイドとその下方に設けられたシート搬送面との間に一枚のシートが通過可能なシート供給用間隙を設け、その間隙から下流側にシートを送り出すようにしている。
【０００４】
ここで、シート加工部に送り込まれるシートには厚みが異なる数種のものが存在するため、フロントガイドの下方に形成されたシート供給用間隙は、収容部に収容される積み重ねシートのシートの厚みに応じて調整する必要がある。
【０００５】
このため、シート供給装置においては、フロントガイドを昇降自在に支持し、そのフロントガイドの昇降によってシート供給用間隙をシートの厚みに応じて調整するようにしている。このフロントガイドには幅狭のものと、最小シートの幅寸法にほぼ対応する広幅のものとが存在し、幅狭のフロントガイドの場合は、その複数のフロントガイドをシートの送り方向と直交する方向に間隔をおいて配置してそれぞれ単独に昇降自在に支持し、一方、広幅のフロントガイドの場合は、その一枚のフロントガイドを幅中央がシートの送り中心線と一致するよう配置して昇降自在に支持するようにしている。
【特許文献１】特開昭６０−３６２４６号公報
【発明の開示】
【発明が解決しようとする課題】
【０００６】
ところで、フロントガイドの昇降によるシート供給用間隙の調整に際し、上記フロントガイドを人手によって昇降動させる調整方法と、フロントガイドにねじ係合したねじ棒をモータにより回転させて上記フロントガイドを機械的に昇降動させるようにした調整方法が従来から知られているが、人手による調整方法においてはフロントガイドを適正なシート供給用間隙に調整することが困難であり、複数のフロントガイドを有するシート供給装置の場合は、複数のフロントガイドをそれぞれ個々に調整する必要があるため、調整に非常に手間がかかるという問題があった。
【０００７】
一方、機械的な調整方法においては、フロントガイドとそのフロントガイドを垂直方向に案内するガイドの相互間にガイドすきまが存在するため、そのガイドすきまの範囲においてフロントガイドが傾き、フロントガイドの幅寸法全体にわたって均一な大きさのシート供給用間隙を形成することができない。したがって、シート供給用間隙が小さい場合には、シートがフロントガイドの下端に局部的に接触する状態になるためにシートが送り出されなかったり、その表面に傷がついたりし、また、シート供給用間隙が大きい場合には、２枚のシートが送り出されたりするという問題があった。特に、複数のフロントガイドを有するシート供給装置の場合は、フロントガイドのそれぞれ下方に形成されるシート供給用間隙を均一に調整することが困難であって、シートを損傷させる場合が多い。
【０００８】
この発明の課題は、シート供給用間隙をシートの厚みに応じて適正な大きさに簡単に形成することができるようにしたシート供給装置における供給用間隙の調整方法および調整装置を提供することである。
【課題を解決するための手段】
【０００９】
上記の課題を解決するために、この発明に係るシート供給装置における供給用間隙の調整方法においては、シート搬送面上において昇降自在に支持されたフロントガイドを昇降用エアシリンダにより上昇させる第１動作と、供給しようとするシートより厚みが少し大きいすきまゲージを前記シート搬送面上に載置する第２動作と、前記昇降用エアシリンダの作動によりフロントガイドを下降させる第３動作と、そのフロントガイドがすきまゲージの上面に当接する状態で昇降用エアシリンダ内のエアを排気してすきまゲージにフロントガイドを自重で接触させる第４動作と、フロントガイドがすきまゲージに接触支持される状態でフロントガイドをロックする第５動作と、フロントガイドのロック後にすきまゲージを取り出す第６動作を順に行なうようにした構成を採用したのである。
【００１０】
また、この発明に係るシート供給装置における供給用間隙の調整装置においては、シート搬送面上に設けられたフロントガイドと、そのフロントガイドを昇降自在に支持するガイドと、そのガイドに沿ってフロントガイドを昇降動させる昇降用エアシリンダと、フロントガイドを高さ調整位置でロックするロック手段と、前記昇降用エアシリンダの収縮用の第１室と伸長用の第２室に圧縮エアを切換えて供給する電磁式切換弁とから成り、前記シート搬送面上に供給しようとするシートの厚みより少し大きいすきまゲージを載置し、昇降用エアシリンダの作動によりフロントガイドを下降させて下端をすきまゲージに当接し、その昇降用エアシリンダの第１室および第２室を大気に連通させたのちにロック手段によってフロントガイドをロックする構成を採用したのである。
【発明の効果】
【００１１】
上記のように、シート搬送面上に載置されたすきまゲージにフロントガイドの下端を当接させた状態で昇降用エアシリンダを大気に連通する排気状態とすることによって、フロントガイドは自重によりすきまゲージに接触することになり、フロントガイドの下面はその全体がすきまゲージと接触することになる。このため、ロック手段によりフロントガイドをロックしたのち、すきまゲージを取り除くことによってフロントガイドの下方にその幅寸法全体にわたって均一なシート供給用間隙を簡単に正確に形成することができる。
【発明を実施するための最良の形態】
【００１２】
以下、この発明の実施の形態を図面に基づいて説明する。図１に示すように、シート供給装置は、フロントガイド１と、そのフロントガイド１との間で積み重ねシートＳ0 の収容部２を形成するバックガイド３と、上記フロントガイド１の下方に設けられたシート送り装置４とを有し、上記バックガイド３は積み重ねシートＳ0 の最下位のシートＳ1 から数枚目のシートＳ1 の後端部を支持して傾斜状に保持し、最下位のシートＳ1 に積み重ねシートＳ0 の全重量が作用するのを防止している。
【００１３】
ここで、フロントガイド１の数は任意であり、幅の狭い複数のフロントガイド１をシートＳ1 の送り方向と直交する方向に間隔をおいて並列に設けてもよく、最小シートの幅寸法に対応する一枚のフロントガイド１をその幅中央がシートＳ1 の送り中心線と一致するように設けてもよい。ここでは、一枚のフロントガイド１を設けた場合を例にとって説明する。
【００１４】
図２に示すように、シート送り装置４は、全体にわたって多数の小孔６が形成された供給ベルト５と、その供給ベルト５のキャリア側ベルト５ａの下方に設けられたサクションボックス７とから成り、上記サクションボックス７のキャリア側ベルト５ａを支持するベルト支持板８にシート搬送方向に細長いスリット９を形成し、サクショクボックス７内の排気により内部圧力を大気圧より低圧に保持してスリット９から小孔６に付与される吸引力により最下位のシートＳ1 を吸着し、供給ベルト５の図２に示す矢印方向への移動によって、最下位のシートＳ1 をフロントガイド１の下端とキャリア側ベルト５ａのシート搬送面５ｂ間に形成された供給用間隙１０から下流側に送り出すようにしている。
【００１５】
このため、フロントガイド１とバックガイド３間の収容部２に収容された積み重ねシートＳ0 は、供給ベルト５の移動によって最下位のシートＳ1 から順に一枚ずつ下流側に送り出されることになる。
【００１６】
フロントガイド１の下端とキャリア側ベルト５ａのシート搬送面５ｂ間の供給用間隙１０はシートＳ1 の厚みより少し大きくされて一枚のシートＳ1 のみが通過し得るようになっている。
【００１７】
このため、オーダ変更によって次に供給されるオーダの積み重ねシートＳ0 のシートＳ1 の厚みが先に供給されていたオーダの積み重ねシートＳ0 のシートＳ1 の厚みと相違する場合、供給用間隙１０は次に供給されるシートＳ1 の厚みに対応して調整される。
【００１８】
供給用間隙１０の調整のため、板状のフロントガイド１は、固定のガイド１１によって昇降自在に支持されている。ガイド１１は、フロントガイド１のシートＳ1 の前縁を案内するシート案内面１ａに対する背面側を垂直方向に案内するガイド板１１ａの両側にフロントガイド１の両側部を案内する断面Ｌ形のガイド部材１１ｂを設けた構成とされている。
【００１９】
フロントガイド１の上部には昇降用エアシリンダ１２が接続され、その昇降用エアシリンダ１２に圧縮エアを供給するエア供給路１３に第１の電磁式切換弁１４が組込まれている。
【００２０】
第１の電磁式切換弁１４は両端ソレノイドばねセンタ形５ポート３位置切換弁から成り、その第１の電磁式切換弁１４のＡポートは昇降用エアシリンダ１２の収縮用の第１室１２ａに連通し、一方、Ｂポートは伸長用の第２室１２ｂに連通し、一端の第１ソレノイドＳＬ1 に通電して励磁すると、第１室１２ａに圧縮エアが供給されて昇降用エアシリンダ１２が収縮し、フロントガイド１をガイド板１１ａとガイド部材１１ｂに沿って上昇させるようになっている。
【００２１】
また、第１の電磁式切換弁１４の他端の第２ソレノイドＳＬ2 に通電して励磁すると、第２室１２ｂに圧縮エアが供給されて昇降用エアシリンダ１２が伸長し、フロントガイド１をガイド板１１ａとガイド部材１１ｂに沿って下降させるようになっている。
【００２２】
さらに、第１ソレノイドＳＬ1 および第２ソレノイドＳＬ2 に対する通電の遮断によって第１の電磁式切換弁１４が図２に示す中立位置とされ、第１室１２ａおよび第２室１２ｂが大気に連通して排気されるようになっている。
【００２３】
フロントガイド１はロック手段２０によって高さ調整位置にロックされる。ロック手段２０は、フロントガイド１のシート案内面１ａ側に設けられた挟持片２１と、その挟持片２１をフロントガイド１に対して進退させるロック用エアシリンダ２２とから成り、そのロック用エアシリンダ２２の作動により挟持片２１をフロントガイド１に向けて移動させて、挟持片２１とガイド板１１ａとでフロントガイド１を挟持するようにしている。
【００２４】
ここで、ロック用エアシリンダ２２に圧縮空気を供給するエア供給路１３には第２の電磁式切換弁２３が組込まれている。第２の電磁式切換弁２３は単一ソレノイドばねオフセット形５ポート２位置切換弁から成り、その第２の電磁式切換弁２３のＡポートはロック用エアシリンダ２２のロック解除用の第２室２２ｂに連通し、一方、Ｂポートはロック操作用の第１室２２ａに連通して、第２の電磁式切換弁２３の一端に設けられたソレノイドＳＬ3 に対する通電と遮断とによって第１室２２ａと第２室２２ｂとに圧縮エアが切換えられて供給され、第１室２２ａに対する圧縮エアの供給によりロック用エアシリンダ２２が収縮して挟持片２１とガイド板１１ａとでフロントガイド１を挟持するようになっている。
【００２５】
実施の形態で示すシート供給装置は上記の構造から成り、フロントガイド１の下方に設けられた供給用間隙１０の調整に際しては、第２の電磁式切換弁２３の作動によりロック用エアシリンダ２２の第２室２２ｂに圧縮エアを供給してロック用エアシリンダ２２を伸長し、フロントガイド１から離反する方向に挟持片２１を移動させてフロントガイド１のロックを解除する。
【００２６】
フロントガイド１のロック解除後、第１の電磁式切換弁１４の作動により昇降用エアシリンダ１２の第１室１２ａに圧縮エアを供給し、昇降用エアシリンダ１２の収縮により、フロントガイド１を上昇させる。
【００２７】
フロントガイド１の上昇後、図３に示すように、供給ベルト５におけるキャリア側ベルト５ａのシート搬送面５ｂ上に次に供給しようとするシートＳ1 より厚みが少し大きいすきまゲージＧを載置する。
【００２８】
すきまゲージＧの載置後、第１の電磁式切換弁１４を作動させて昇降用エアシリンダ１２の第２室１２ｂに圧縮エアを供給し、昇降用エアシリンダ１２の伸長によりフロントガイド１を下降させる。
【００２９】
図４に示すように、フロントガイド１の下端がすきまゲージＧの上面に当接すると、第１の電磁式切換弁１４を図２に示すように中立位置に戻し、昇降用エアシリンダ１２の第１室１２ａおよび第２室１２ｂを大気に連通させてそれぞれの室１２ａ、１２ｂ内のエアを排気する。
【００３０】
このとき、フロントガイド１は自重によってその下面の全体がすきまゲージＧの上面に接触する状態となるよう位置調整される。
【００３１】
昇降用エアシリンダ１２の第２室１２ｂ内のエアの排気後、第２の電磁式切換弁２３の作動により、ロック用エアシリンダ２２の第１室２２ａに圧縮エアを供給し、ロック用エアシリンダ２２の収縮により挟持片２１をフロントガイド１に向けて移動させ、その挟持片２１とガイド板１１ａとでフロントガイド１を挟持してフロントガイド１を調整位置でロックする。
【００３２】
フロントガイド１のロック後、図４の矢印で示すように、供給ベルト５のキャリア側ベルト５ａを移動させ、すきまゲージＧをフロントガイド１の下方から取り除くことによって供給用間隙１０の調整操作が完了する。
【００３３】
このように、第１の電磁式切換弁１４および第２の電磁式切換弁２３を操作することによって供給用間隙１０を調整することができるため、調整がきわめて容易であると共に、昇降用エアシリンダ１２の作動によってフロントガイド１をその下端がすきまゲージＧに当接する下降状態で上記昇降用エアシリンダ１２内のエアを排気して、フロントガイド１を自重によってすきまゲージＧに接触させるようにしたので、フロントガイド１の下面全体をすきまゲージＧに当接させることができる。
【００３４】
このため、ロック手段２０によるフロントガイド１のロック後に、そのすきまゲージＧを取り除くことにより、全長にわたって均一な大きさの供給用間隙１０を簡単に形成することができる。
【００３５】
実施の形態では、孔あき供給ベルト５によってシートＳ1 を吸着搬送させるようにし、その供給ベルト５のキャリア側ベルト５ａの上面をシート搬送面５ｂとしたが、フロントガイド１の下方に供給テーブルを設け、その供給テーブルの上面をシート搬送面としてもよい。この場合、積み重ねシートＳ0 の下方にサクションボックスを設け、そのサクションボックスの上部開口に複数のローラを設け、上記サクションボックス内の排気により内部圧力を大気圧より低圧に保持し、サクションボックスの上部開口に作用する吸引力により最下位のシートをローラに圧接させ、そのローラの接触回転により最下位のシートを供給テーブル上から下流側に送り出すようにする。
【００３６】
また、実施の形態では、フロントガイド１を一枚としたシート供給装置を例にとって説明したが、幅の狭い複数のフロントガイド１をシートＳ1 の送り方向と直交する方向に間隔をおいて設けるようにしてもよい。この場合、複数のフロントガイド１をそれぞれ個々に昇降自在に支持し、その複数のフロントガイド１のそれぞれに関連して昇降用エアシリンダ１２やロック用エアシリンダ２２を設けるようにしてもよく、あるいは、複数のフロントガイド１をその上部において連結して昇降自在に支持し、一本の昇降用エアシリンダ１２の作動により複数のフロントガイド１を同時に昇降させ、かつ、一本のロック用エアシリンダ２２の作動によって複数のフンロトガイド１を同時にロックするようにしてもよい。
【図面の簡単な説明】
【００３７】
【図１】この発明に係る供給用間隙の調整装置を採用したシート供給装置の縦断正面図
【図２】図１の供給用間隙の調整装置部を示す拡大断面図
【図３】フロントガイドの下方にすきまゲージを載置した状態の正面図
【図４】フロントガイドをすきまゲージに当接させた状態の正面図
【符号の説明】
【００３８】
１      フロントガイド
５ｂ    シート搬送面
１０    供給用間隙
１１    ガイド
１２    昇降用エアシリンダ
１２ａ  第１室
１２ｂ  第２室
１４    第１の電磁式切換弁
２０    ロック手段
Ｇ      すきまゲージ
【図１】
2006036508.tif 000003
【図２】
2006036508.tif 000004
【図３】
2006036508.tif 000005
【図４】
2006036508.tif 000006